(57)【要約】【課題】搬送室・昇降路内に洗濯物の湿気が充満することを回避することが可能でありながら、大幅な工事や改造を伴うことなく乾燥機能を実現することができる、乾燥機能付きエレベータ装置の提供。【解決手段】乾燥機能付きエレベータ装置１は、昇降路３と、昇降路内に昇降可能に設けられたかご５と、かごと分離して配置された乾燥機７と、導入循環ダクト９及び排出循環ダクト１１とを備えている。かかるダクトは、かご及び乾燥機を連通し乾燥流体をそれらかご及び乾燥機の間で供給回収させるものである。上記ダクトはかごと同期して昇降するように設けられている。乾燥機には、供給口２３及び回収口２５が含まれている。供給口及び回収口は、昇降路内に設けられ、且つ、上記ダクトの昇降軌跡上に配置されている。導入循環ダクト及び排出循環ダクトは、かごの昇降動作に伴って、供給口及び回収口に抜き差しされる。【選択図】図２
2011168393.tif 000002
【特許請求の範囲】
【請求項１】
昇降路と、
前記昇降路内に昇降可能に設けられたかごと、
前記かごと分離して配置された乾燥流体供給回収装置と、
前記かご及び前記乾燥流体供給回収装置を連通し乾燥流体を該かご及び該乾燥流体供給回収装置の間で供給回収させる導入ダクト及び排出ダクトと
を備えた乾燥機能付きエレベータ装置。
【請求項２】
前記導入ダクト及び排出ダクトは前記かごと同期して昇降するように設けられており、
前記乾燥流体供給回収装置には、供給口及び回収口が含まれており、
前記供給口及び回収口は、前記昇降路内に設けられ、且つ、前記導入ダクト及び排出ダクトの昇降軌跡上に配置されており、
前記導入ダクト及び排出ダクトは、前記かごの昇降動作に伴って、前記供給口及び回収口に抜き差しされる、
請求項１の乾燥機能付きエレベータ装置。
【請求項３】
前記かごの昇降範囲は、エレベータ装置として機能するときの搬送運転範囲と、乾燥を行うときの乾燥運転範囲という二種類の範囲を含んでおり、
前記乾燥運転範囲は、前記搬送運転範囲の上端または下端よりもさらに上方または下方に延びており、
前記導入ダクト及び排出ダクトの前記供給口及び回収口への挿入は、前記かごが前記乾燥運転範囲まで移動しているときになされる、
請求項２の乾燥機能付きエレベータ装置。
【請求項４】
前記乾燥流体供給回収装置は、前記昇降路の下端部に配置されている、請求項１乃至３の何れか一項の乾燥機能付きエレベータ装置。
【請求項５】
乾燥終了後に被乾燥物を収容した前記かごを停止させる位置を乾燥開始前に指定しておくことができる予約制御部、をさらに備えた、請求項１乃至４の何れか一項の乾燥機能付きエレベータ装置。
【請求項６】
前記かごは、搬送運転において人員を搬送し、乾燥運転において洗濯物を収容するものであり、
前記エレベータ装置は、ホームエレベータである、
請求項１乃至５の何れか一項の乾燥機能付きエレベータ装置。
【発明の詳細な説明】
【技術分野】
【０００１】
本発明は、乾燥機能付きエレベータ装置に関するものである。
【背景技術】
【０００２】
エレベータ装置は、乗員等の搬送対象を収容する搬送室を持ったかごを備えており、そのかごが昇降路内を昇降するように設けられている。ところで、個人用住宅のエレベータ装置においては、そのかごを活用して、洗濯物を乾燥させる機能を備えたものが既に存在する。例えば、特許文献１には、かごにおいて、搬送室とは別に、搬送室の上方にもう一つの部屋として乾燥室を備えたエレベータ装置が開示されている。このエレベータ装置では、乾燥室を構成している天井や壁に乾燥室採光部を設け、さらに、乾燥室が最上位置に到達したときに、乾燥室採光部へと日光を導けるよう、昇降路の上壁や側壁にも昇降路採光部を設けている。
【先行技術文献】
【特許文献】
【０００３】
【特許文献１】特開平２−０８６５８６号公報
【発明の概要】
【発明が解決しようとする課題】
【０００４】
かかる従来の乾燥機能付きエレベータ装置では、搬送室・昇降路内に洗濯物の湿気が充満しないという利点はあるものの、その一方で、かごにおける室の２層化、かごの大型化、昇降路上部の延長、採光部の確保など、建物側・エレベータ装置側ともに非常に大掛かりな工事が必要となってしまう問題があった。
【０００５】
本発明は、このような従来の問題を解決するためになされたものであり、搬送室・昇降路内に洗濯物の湿気が充満することを回避することが可能でありながら、大幅な工事や改造を伴うことなく乾燥機能を実現することができる、乾燥機能付きエレベータ装置を提供することを目的とする。
【課題を解決するための手段】
【０００６】
上述した目的を達成するため、本発明の乾燥機能付きエレベータ装置は、昇降路と、前記昇降路内に昇降可能に設けられたかごと、前記かごと分離して配置された乾燥流体供給回収装置と、前記かご及び前記乾燥流体供給回収装置を連通し乾燥流体を該かご及び該乾燥流体供給回収装置の間で供給回収させる導入ダクト及び排出ダクトとを備える。
【発明の効果】
【０００７】
本発明の乾燥機能付きエレベータ装置によれば、搬送室・昇降路内に洗濯物の湿気が充満することを回避することが可能でありながら、大幅な工事や改造を伴うことなく乾燥機能を実現することができる。
【図面の簡単な説明】
【０００８】
【図１】本発明の実施の形態に係る乾燥機能付きエレベータ装置の搬送運転時に関する側面図である。
【図２】図１のエレベータ装置の乾燥運転時に関する側面及び背面を示す図である。
【図３】図２のＡ部に関する拡大図である。
【図４】図３のＢ部に関する拡大斜視図であって、ダクトの接続時を示す図である。
【図５】図４と同様の拡大斜視図であって、ダクトの非接続時を示す図である。
【図６】本実施の形態に係るエレベータ装置の運転動作を示すフローチャート
【発明を実施するための形態】
【０００９】
以下、この発明に係る乾燥機能付きエレベータ装置をロープ式のホームエレベータとして実施した場合の実施の形態について添付図面に基づいて説明する。なお、図中、同一符号は同一又は対応部分を示すものとする。
【００１０】
図１及び図２はそれぞれ、搬送運転時及び乾燥運転時のエレベータ装置を横から示す図である。図３は、図２のＡ部に関する拡大図である。主に、図１に示されるように、乾燥機能付きエレベータ装置１は、昇降路３と、かご５と、乾燥機（乾燥流体供給回収装置）７と、導入循環ダクト（導入ダクト）９及び排出循環ダクト（排出ダクト）１１の二本のダクトとを備えている。昇降路３内には、かご５及びつり合いおもり１３がそれぞれ昇降可能に設けられている。かご５及びつり合いおもり１３は、昇降路３内に立設された図示省略するかごガイドレール及びつり合いおもりガイドレールによって昇降移動を案内される。昇降路３の上方には、巻上機構１５や、エレベータ装置の運転を制御する制御装置１７が設けられている。巻上機構１５は、駆動綱車１５ａやそらせ車１５ｂを有している。駆動綱車１５ａやそらせ車１５ｂには、主索１９等の可撓体が巻き掛けられている。主索１９の一端部にはかご５が吊り下げられており、他端部にはつり合いおもり１３が吊り下げられている。かご５及びつり合いおもり１３は、駆動綱車１５ａの回転により主索１９が駆動されることで、昇降路３内を昇降されるようになっている。
【００１１】
かご５は、本実施の形態では、その内部に搬送室２１を有する一室構造の筐体である。搬送室２１は、乗員が搭乗することができれば十分なスペースを有している。かご５の正面（図１の紙面左側）には、かご５から乗員が乗り降りする際に開閉する戸が設けられている。かご５には、導入循環ダクト９及び排出循環ダクト１１がその端部を貫通させる態様で取付けられており、すなわち、導入循環ダクト９及び排出循環ダクト１１は、かご５と同期して昇降するように設けられている。導入循環ダクト９及び排出循環ダクト１１は、乾燥運転時にかご５及び乾燥機７を連通し、それらかご５及び乾燥機７の間で乾燥流体を循環させるように構成されている。
【００１２】
より詳細には、図３に最もよく示されているように、導入循環ダクト９及び排出循環ダクト１１は、かご５の上面及び背面（戸と反対側）に取付けられており、且つ、横方向（例えば図１の紙面表裏方向）に並べて配置されている。導入循環ダクト９は、その一端に吹出口９ａを有し、他端に導入口９ｂを有する。また、排出循環ダクト１１は、その一端に吸込口１１ａを有し、他端に排出口１１ｂを有する。吹出口９ａ及び吸込口１１ａはともに、かご５の上面に開口しており、好適には、その上面において前後方向または左右方向に振り分けられて配置されている。本実施の形態では、前後方向に振り分けられており、吹出口９ａは、かご５上面の正面寄りに配置され、吸込口１１ａは、かご５上面の背面寄りに配置されている。一方、導入口９ｂ及び排出口１１ｂは、左右に並んで配置され、且つ、かご床の最低部よりもさらに下方に突き出しており、乾燥運転時には、乾燥機７に接続される。
【００１３】
乾燥機７は、搬送室外であってかご５と分離したところに設けられており、換言するならば、かご５と同期して移動することのないように設けられている。本実施の形態では、乾燥機７は、昇降路３の下端部、すなわち、住宅の１階（最下階）の乗場よりもさらに下方のピットに固定されている。乾燥機７は、後述するように、乾燥流体として搬送室２１に供給する熱風を発生させたり、搬送室２１外へと排出された搬送室雰囲気を回収して除湿したり、また、必要に応じて、搬送室２１内の室内温度を所定温度へと調整すべく新鮮空気を熱風と一緒に供給したりする。
【００１４】
図４は、図３のＢ部に関する拡大斜視図であって、導入循環ダクト及び排出循環ダクトが乾燥機に接続される前の状態を示す図である。図５は、同様にＢ部に関する拡大斜視図であって、導入循環ダクト及び排出循環ダクトが乾燥機に接続されている状態を示す図である。乾燥機７には、供給口２３及び回収口２５が含まれている。本実施の形態では、図４に示されるように、供給口２３及び回収口２５は、乾燥機７の筐体上面に設けられている。なお、本発明は、必ずしも供給口２３及び回収口２５が乾燥機７の筐体にある必要はなく、供給口２３及び回収口２５は、乾燥機７と配管・ホース等でつながっている等、筐体とは離れたところにあってもよい。また、供給口２３及び回収口２５は、昇降路３内に設けられており、さらに、後述するように、導入循環ダクト９及び排出循環ダクト１１（特に導入口９ｂ及び排出口１１ｂ）の昇降軌跡上に配置されている。
【００１５】
図１及び図２等に戻り、制御装置１７は、図示しない移動ケーブルを介してかご５に接続されており、それにより、かご５との間で、各種制御信号や通信信号等の送受信や電力供給等を行う。また、制御装置１７は、住宅各階の乗場に設けられた乗場表示装置２７とも接続されており、利用者からの乗場呼び信号を受けたりかご位置の表示を行ったりする。さらに、制御装置１７には、後述する乾燥プロセス終了後に被乾燥物を収容したかご５を停止させる取り込み位置（所定階の乗場）を乾燥プロセス開始前に指定しておくことができる予約制御部１７ａを含んでいる。
【００１６】
次に、このように構成を有する本実施の形態の乾燥機能付きエレベータ装置の動作について説明する。図６は、乾燥機能付きエレベータ装置の運転動作を示すフローチャートであり、かかる図６をも参照しながら説明する。乾燥機能付きエレベータ装置１は、まず、ステップＳ１として、人員を載せて上下階に搬送するか又は利用者がくるまで待機しているエレベータ装置が通常行っている搬送運転を行っている。この搬送運転は、ステップＳ２において、乾燥運転の要求を受けた旨が認定されるまで維持される。ステップＳ２において乾燥運転の要求を受けたことが認定されると、搬送運転から乾燥運転に切り替わり、ステップＳ３として、乾燥モード（例えば乾燥時間、温度、被乾燥物の量、仕上がり具合など）の設定が行われる。ステップＳ２において、利用者による乾燥運転の要求は、例えば乗場表示装置２７における操作部において入力することとするが、それ以外の態様で入力するようにしてもよい。また、ステップＳ３における乾燥モードの設定は、乾燥運転へと切り替わった後、利用者により入力された内容に設定されるか、搬送運転時に予め入力されていた内容が呼び出されて設定されるか、あるいは、初期設定内容として保存されている内容が呼び出されて設定される。何れにしても、ステップＳ３として、制御装置１７において乾燥モードが設定される。また、利用者は、乾燥運転を行うに先立ち、予め、何れかの階にかご５を停止させ、搬送室２１内に被乾燥物として洗濯物２９（図３参照）を干しておくものとする。
【００１７】
続いて、ステップＳ４として、乗場表示装置２７に「乾燥運転」の表記またはその旨の表示が行われ、利用者に、エレベータ装置１が現在、乾燥運転であることを報知する。さらに、ステップＳ５として、乾燥流体のための循環経路の形成が行われる。循環経路の形成は次のようにして行われる。まず、本実施の形態のエレベータ装置１においては二種類のかごの昇降範囲を運転に応じて切り替えて用いている。図１及び図２を参照し、通常のエレベータとして機能するときのかご５の昇降範囲である、搬送運転範囲Ｃは、住宅最上階と最下階との間の範囲となっている。図中、搬送運転範囲Ｃの上端は、最上階にあるときのかご５の上端であり、搬送運転範囲Ｃの下端は、最下階にあるときのかご５の下端である。一方、乾燥を行うときのかご５の昇降範囲である、乾燥運転範囲Ｄは、搬送運転範囲Ｃよりも長く延びており、本実施の形態では、図２に示されるように、乾燥運転範囲Ｄは、搬送運転範囲Ｃの下端よりもさらに下方に延びている。図中、乾燥運転範囲Ｄの上端は、最上階にあるときのかご５の上端であり、乾燥運転範囲Ｄの下端は、循環経路形成のために降下したかご５の下端である。
【００１８】
上述した乾燥運転範囲Ｄを有するエレベータ装置１において、循環経路を形成する場合には、かご５が乾燥運転範囲Ｄの最下端まで降下する。ここで、乾燥機７の供給口２３及び回収口２５は、導入循環ダクト９及び排出循環ダクト１１の導入口９ｂ及び排出口１１ｂの昇降軌跡上に配置されているので、かご５の降下に同期して導入口９ｂ及び排出口１１ｂも降下し、図４の状態から図５の状態へと移行し、つまり、導入循環ダクト９及び排出循環ダクト１１の導入口９ｂ及び排出口１１ｂが乾燥機７の供給口２３及び回収口２５に挿入される。供給口２３及び回収口２５には、通常の搬送運転時に埃や異物などが乾燥機７内への侵入することを防ぐため、図示省略する弁が設けられているが、導入口９ｂ及び排出口１１ｂの挿入により、かかる弁が開弁し、導入循環ダクト９及び排出循環ダクト１１と乾燥機７との連通が確保される。このようにして、乾燥機７、導入循環ダクト９及び排出循環ダクト１１、かご５の搬送室２１からなる循環経路が形成される。
【００１９】
なお、これらステップＳ３、ステップＳ４、ステップＳ５に関しては、厳密に上述した順に実行されていく必要はなく、同時進行で実行される、あるいは、上述した順と一部または全部が逆の順に実行されるものでもよい。
【００２０】
次に、ステップＳ６として、洗濯物２９の乾燥プロセスを実行する。具体的には、乾燥プロセスの開始として乾燥機７を起動させ、乾燥機７内で作られた乾燥流体としての温風を、導入循環ダクト９を介して、かご５の搬送室２１内に送り込む。また、必要に応じて、新鮮空気も一緒に搬送室２１内に送り込む。それと並行して、乾燥機７は、かご５の搬送室２１内の雰囲気を、排出循環ダクト１１を介して吸引・回収する。乾燥に供され湿気を含んで回収された雰囲気は、除湿・昇温されて、温風として再び搬送室２１に供給される。なお、乾燥機７と搬送室２１との間の流体循環は、乾燥プロセスにわって連続している必要はなく、適宜、回収した雰囲気を排気し、新たに取り込んだ空気を熱風として供給することも可能である。また、乾燥機７における除湿で生じた水分は、ドレンパイプ３１によって、昇降路３外に排水される。乾燥運転中は、かご５の戸が閉じられており、搬送室２１内は概ね密閉空間となっている。搬送室２１内では供給された温風が循環し、洗濯物２９の乾燥が行われる。乾燥が十分に行われたところで、乾燥プロセスの終了として乾燥機７が停止され、温風の供給及び雰囲気の回収が終了する。
【００２１】
次に、ステップＳ７として、取り込み階の指定があるか否かを判断する。すなわち、乾燥プロセスの終了時には、かご５は乾燥運転範囲Ｄの下端、つまり、住宅の１階（最下階）の乗場よりも下方に降下している。そのため、利用者がかご５に乗り込めるように、かご５を何れかの階の乗場へと移動させる。ステップＳ８において、取り込み階の指定がある場合には、かご５はその指定階の乗場まで移動される。取り込み階の指定がない場合には、ステップＳ２において乾燥運転の要求がなされた元の階へとかご５が移動される。元の階は、通常は、搬送室２１内に洗濯物２９を干したときの階になる。また、取り込み階の指定は、その都度、入力されてもよいし、以前から入力されたものが変更されずそのまま用いられる態様でもよい。
【００２２】
また、ステップＳ８により、それまで乾燥運転範囲Ｄだけに位置したかご５が、搬送運転範囲Ｃでもある位置に移動すると、乾燥機７の供給口２３及び回収口２５と導入ダクト９及び排出ダクト１１の導入口９ｂ及び排出口１１ｂとの接続が自動的に解消される。すなわち、かご５が乾燥運転範囲Ｄの下端から上昇すると、それと一緒に導入ダクト９及び排出ダクト１１の導入口９ｂ及び排出口１１ｂも上昇し、つまり図５の状態から図４の状態へと移行し、導入口９ｂ及び排出口１１ｂが供給口２３及び回収口２５から引き抜かれると共に、供給口２３及び回収口２５の弁が閉弁する。かご５は、供給口２３及び回収口２５と導入口９ｂ及び排出口１１ｂとの分離により、乾燥流体のための配管に阻害されることなく昇降可能となっている。
【００２３】
かご５が何れかの階の乗場へと移動したならば、ステップＳ９として、乗場表示装置２７に「乾燥運転終了」の表記またはその旨の表示が行われ、利用者に、洗濯物２９の乾燥が終了したことを報知する。
【００２４】
以上に説明した本実施の形態に係る乾燥機能付きエレベータ装置によれば、次のような優れた利点が得られる。本実施の形態では、かごの搬送室を用いて乾燥を行っているため、かご内部の室の２層化、昇降路上部の延長、採光部の確保を強いられないので、既にある（エレベータ付きの）建築物に対して大幅な工事を伴うことなく適用することでき、既に商品化されているエレベータ装置に対しても大幅な改造を伴うことなく実施することができる。さらに、搬送室に被乾燥物を収容する場合、搬送室内や昇降路内の湿気の充満が問題となるところ、本実施の形態では、かごと分離して乾燥機を配置し、その乾燥機によって搬送室内の雰囲気をかご及び昇降路と隔離するように回収し除湿するため、搬送室内や昇降路内に湿気を残すことを回避し、且つ、かごに乾燥機を取付けるなどのかごに対する工事も不要とできる。また、乾燥機をかごに設けるのではなく、かごと分離した態様で配置する場合、可動であるかごと固定された乾燥機との間の配管構造や工事が複雑化するところ、本実施の形態では、エレベータであれば必ず行うかごの昇降動作を利用して、搬送室と乾燥機との接続・分断を自動的・付随的に行うことができる。よって、乾燥機をかごとは分離した態様で設けておりながら、配管の取り回しが複雑化することを回避し、それによっても工事の抑制を図ることができる。さらに加えて、搬送室内の雰囲気を回収・除湿することが可能でありながら、乾燥機をかごと一体移動するような態様で設けないで済むため、かご重量が増加することを回避することができる。特に、乾燥機を昇降路下端部に配置する態様とすれば、上記利点を得ながら、かご上の保守スペースをこれまでどおり確保することもできる。
【００２５】
また、かごの単一・共通の部屋を用いて搬送と乾燥とを選択的に行えるので、搬送（かご移動）と乾燥とを一元的に管理することができる。また、乾燥機能を使用する際、事前に設定を行うことによって、洗濯物を干す階とは別の階で乾燥後の洗濯物を取り込むことができ、個人住宅では特に家事負担の軽減につながるなど便利である。
【００２６】
このようにして、本実施の形態では、搬送室・昇降路内に洗濯物の湿気が充満することを回避することが可能でありながら、新設・既設を問わず大幅な工事や改造を伴うことなく乾燥機能を実現することができる。
【００２７】
以上、好ましい実施の形態を参照して本発明の内容を具体的に説明したが、本発明の基本的技術思想及び教示に基づいて、当業者であれば、種々の改変態様を採り得ることは自明である。
【００２８】
本発明のエレベータは、ロープ式エレベータ装置に限定されるものではなく、様々な様式のエレベータ装置に実施することができ、したがって、例えば、油圧式、スクリュー式、ラックピニオン式などのエレベータ装置に実施することもできる。
【００２９】
また、本発明のエレベータは、個人用住宅のホームエレベータに限定されず、様々な用途・対象のエレベータ装置に実施するができる。したがって、例えば、比較的低層小規模な建物において何らかの業務を行っている場合に、商品・サービス対象となるものを乾燥するためや、業務に伴う備品等を乾燥するために、本発明の乾燥機能付きエレベータ装置を用いことも可能である。また、人員を搬送する用途ではなく、物のみを搬送する用途のエレベータに対して適用することもできる。
【００３０】
乾燥機に連通する供給口及び回収口は、昇降路の上部に配置されていてもよく、その場合には、乾燥運転範囲の上端を搬送運転範囲の上端よりもさらに上方に位置させるようにする。
【００３１】
乾燥流体は必ず循環させる必要はなく、例えば、搬送室と乾燥機とを導入ダクト及び排出ダクトで連通し、搬送室内の乾燥に供された雰囲気はそのまま大気に排気し、搬送室には乾燥機を介して常に新たな流体を供給するように構成することも可能である。
【００３２】
本発明に関する乾燥流体供給回収装置は、流体昇温機能、送風機能、除湿機能の少なくも一機能を有していれば、どのような態様の装置を用いてもよい。また、それに関連し、本発明における乾燥流体は、昇温除湿された流体に限定されるものではない。
【００３３】
上述した実施の形態では、図６のフローチャートにおけるステップＳ３やステップＳ７，Ｓ８として乾燥モードに関する処理や取り込み階に関する処理を行う態様のものを説明してきたが、本発明はこれに限定されるものではなく、乾燥モードや取り込み階に関する選択処理を当初から具備していない態様として実施することもできる。すなわち、乾燥条件や取り込み階は一通りであり固定されている態様であってもよい。もちろん、その場合であっても、乾燥後に利用者が呼び釦を操作してかごを呼び出し、任意の階で洗濯物を取り込むようにすることも可能である。
【符号の説明】
【００３４】
１  乾燥機能付きエレベータ装置、３  昇降路、５  かご、７  乾燥機（乾燥流体供給回収装置）、９  導入循環ダクト（導入ダクト）、１１  排出循環ダクト（排出ダクト）、１７ａ  予約制御部、２３  供給口、２５  回収口、Ｃ  搬送運転範囲、Ｄ  乾燥運転範囲。
【図１】
2011168393.tif 000003
【図２】
2011168393.tif 000004
【図３】
2011168393.tif 000005
【図４】
2011168393.tif 000006
【図５】
2011168393.tif 000007
【図６】
2011168393.tif 000008